(57)【特許請求の範囲】
【請求項１】
信号線を介して制御信号を受信する受信部およびこの受信部により受信した制御信号に含まれる個別アドレス又はグループアドレスが予め設定されている自己の個別アドレス又はグループアドレスに一致したときに、この制御信号に含まれる制御データに応じて照明器具を制御する複数の制御端末器と、
前記信号線に電力を供給する電源部、前記制御端末器の個々を特定する個別アドレス及びグループを特定するグループアドレスを少なくとも含むアドレスデータを記憶する主アドレスメモリおよび前記制御端末器を制御するための制御データと当該アドレスを示すアドレスデータを含む制御信号を前記信号線に伝送させる照明コントローラと、
を具備し、
前記制御端末器は、自己の個別アドレスに一致する個別アドレスを含む制御信号を前記受信部により受信したときに前記制御データを実行する一方、自己のグループアドレスに一致するグループアドレスデータを含む制御信号を前記受信部により受信したときに、その受信後、前記制御端末器に予め設定された情報に基づいて、前記照明コントローラから信号線上に伝送される伝送信号に同期して前記制御データを順次実行するように構成されていることを特徴とする照明制御システム。
【請求項２】
前記伝送信号は、制御信号よりもデータ量が小さい同期信号であることを特徴とする請求項１記載の照明制御システム。
【発明の詳細な説明】
【技術分野】
【０００１】
本発明は複数の照明器具の光出力等を個別毎とグループ毎にそれぞれ制御する照明制御システムに関する。
【背景技術】
【０００２】
従来から、複数の照明器具の光出力等を個別毎とグループ毎にそれぞれ制御できる照明制御システムが知られている（例えば、特許文献１参照）。
【０００３】
この照明制御システムは、複数の照明器具をそれぞれ制御するレベル制御用端末器に、個別アドレスとグループアドレスを２重に付与し、グループアドレスについては、複数のレベル制御用端末器に同一のアドレスをグループ毎に付与している。
【０００４】
このために、グループ制御する場合は、このグループに属する複数のレベル制御用端末器を同時に一括して制御することにより、グループに属する照明器具を一斉に制御することができる。
【先行技術文献】
【特許文献】
【０００５】
【特許文献１】特許第３４１０６０３号公報
【発明の概要】
【発明が解決しようとする課題】
【０００６】
しかしながら、この特許文献１記載のものでは、複数のレベル制御用端末器が、信号線から所要の電力を受電して駆動する構成であるので、これらレベル制御用端末器が同時刻に一斉に制御動作を行なうと、信号線が一気に電力不足に陥り、信号電圧に変化が発生して誤動作が発生する虞がある。このために、信号線に電力を供給する伝送制御装置の電源容量の増大を図る必要があり、コスト増を招くという課題がある。
【０００７】
そこで、このような電力不足を回避するためには、これらレベル制御用端末器を同時刻に同時に制御をせずに、同一グループに属する複数のレベル制御用端末器を順次制御する方法が考えられる。しかし、このために、同一グループに属する個別アドレスを有する複数のレベル制御用端末器に制御信号を信号線上に順次、直列伝送する方法を採用する場合には、各制御信号のフレームは所定長さを有するので、同一グループ内の最初に与えられる制御信号から最後に与えられる制御信号までの時間が長くかかり、グループ制御速度が遅くなるという課題が考えられる。
【０００８】
本発明はこのような事情を考慮してなされたもので、信号線の電源容量を増大させずに、グループ制御速度を向上できる照明制御システムを提供することを目的とする。
【課題を解決するための手段】
【０００９】
本発明に係る照明制御システムは、信号線を介して制御信号を受信する受信部およびこの受信部により受信した制御信号に含まれる個別アドレス又はグループアドレスが予め設定されている自己の個別アドレス又はグループアドレスに一致したときに、この制御信号に含まれる制御データに応じて照明器具を制御する複数の制御端末器と、前記信号線に電力を供給する電源部、前記制御端末器の個々を特定する個別アドレス及びグループを特定するグループアドレスを少なくとも含むアドレスデータを記憶する主アドレスメモリおよび前記制御端末器を制御するための制御データと当該アドレスを示すアドレスデータを含む制御信号を前記信号線に伝送させる照明コントローラと、を具備し、前記制御端末器は、自己の個別アドレスに一致する個別アドレスを含む制御信号を前記受信部により受信したときに前記制御データを実行する一方、自己のグループアドレスに一致するグループアドレスデータを含む制御信号を前記受信部により受信したときに、その受信後、前記制御端末器に予め設定された情報に基づいて、前記照明コントローラから信号線上に伝送される伝送信号に同期して前記制御データを順次実行するように構成されていることを特徴とする。
【００１０】
ここで、制御端末器は、制御データに応じて照明器具を点，消灯や調光等により光出力を制御するものであって、操作駆動時とその復帰時のみに通電されて、これらの状態を通電せずに保持できるラッチングリレー等を具備している。
【００１１】
また、制御端末器の受信部は制御データの実行後の応答を照明コントローラに返信するための送信機能を有してもよい。
【００１２】
制御信号は、信号線上にシリアル（直列）伝送される信号である。制御信号のフォーマットは、所定長のフレームに、制御対象の制御端末器を特定するためのグループアドレスを少なくとも含むアドレスデータと、照明器具の点，消灯等の制御内容（方法）を示す制御データを設けている。なお、個別アドレスによって照明器具を個別制御するようにしても良い。
【００１３】
照明コントローラの電源部は、例えば商用交流電源を受電して、ＤＣ２４Ｖに整流する整流器を有し、このＤＣを伝送線に給電する。主制御部は例えばマイクロプロセッサからなり、制御端末器の個別アドレスとグループアドレスを記憶した主アドレスメモリを有する。
【００１４】
また、前記制御端末器は、自己のグループアドレスに一致するグループアドレスデータを含む制御信号を受信したときに、その受信後、前記照明コントローラから信号線上に伝送される伝送信号に同期して駆動するように構成されていることを特徴とする。
【００１５】
請求項２に係る発明は、前記伝送信号は、制御信号よりもデータ量が小さい同期信号であることを特徴とする。
【発明の効果】
【００１７】
請求項１に係る発明によれば、グループ制御の場合は、そのグループに属する複数の制御端末器を同時に一斉に駆動させずに、各々の待ち時間経過後に、順次駆動するので、電源不足を防止できる。
【００１８】
同一グループ毎に属する複数の制御端末器のアドレスをそれぞれ特定した所定長さの制御信号をそれぞれ直列伝送する必要がないので、その分、信号線のトラフィック増大を軽減するとともにグループ制御速度を向上できる。
【００１９】
また、制御端末器を伝送信号に同期して駆動させるので同一グループの各制御端末器を異なる待ち時間で駆動させることができる。
【００２０】
請求項２に係る発明によれば、伝送信号のデータ量が制御信号のデータ量よりも小さいので、信号線のトラフィック増大を軽減することができるとともに第２番目以降に駆動する各制御端末器の駆動を早めることができる。
【図面の簡単な説明】
【００２２】
【図１】本発明の一実施形態に係る照明制御システムの全体構成を示す模式図。
【図２】図１で示す照明コントローラの構成を示すブロック図。
【図３】図１で示す制御端末器の構成を示すブロック図。
【図４】（Ａ）は図１で示す照明コントローラから制御端末器に伝送される個別制御の場合の制御信号のフォーマットを示す図、（Ｂ）は同，グループ制御時の制御信号のフォーマットを示す図、（Ｃ）は待ち時間を設定するための設定信号のフォーマットを示す図。
【発明を実施するための形態】
【００２３】
以下、本発明の第一の実施形態を図面に基づいて説明する。  
図１は本実施形態の全体構成を示す模式図、図２は図１で示す照明コントローラの構成を示すブロック図、図３は図１で示す制御端末器の構成を示すブロック図である。
【００２４】
図１に示すように照明制御システム１は、照明コントローラ２に、信号線３を介して複数の制御端末器４ａ，４ｂ，４ｃ，…，４ｎと、操作器の一例としての壁スイッチ５を、双方向シリアル（直列）通信可能に接続している。各制御端末器４ａ〜４ｎには、照明器具６ａ，６ｂ，６ｃ，…，６ｎをそれぞれ点，消灯や調光等による光出力制御可能に接続している。図１では各制御端末器４ａ〜４ｎに照明器具６ａ〜６ｎを１対１で接続しているが、１台の制御端末器４ａ〜４ｎに、２台以上の照明器具６ａ〜６ｎを接続してもよく、照明器具６ａ〜６ｎ用の電源は直流（ＤＣ）でも交流（ＡＣ）でもよいが、図１では図示を省略している。また、制御端末器４ａ〜４ｎは各照明器具６ａ〜６ｎに組み込む等一体に設けてもよい。
【００２５】
照明器具６ａ〜６ｎの光源は例えば蛍光ランプや発光ダイオード（ＬＥＤ）等いずれでもよく、これら光源を点灯させる点灯装置を具備している。
【００２６】
壁スイッチ５は各制御端末器４ａ〜４ｎ、すなわち照明器具６ａ〜６ｎの光出力を、１台毎に個別に制御するための個別制御用操作部（図示省略）と、複数台毎にグループ制御するグループ制御用操作部（図示省略）を具備しており、これら制御用操作部の操作時には、所要フォーマットの操作信号が出力され、これら操作信号（スイッチ入力）は信号線３を介して照明コントローラ２により読み込まれる。
【００２７】
図２に示すように照明コントローラ２は、電源部７ａ、主制御部７ｂ、主ＡＤメモリ７ｃ、待ち時間設定部７ｄおよび送受信部７ｅを具備している。
【００２８】
電源部７ａは、例えば１００Ｖの商用交流電源ＡＣを受電して所要電圧（例えば２４Ｖ）の直流（ＤＣ）に整流する整流器を有し、このＤＣを主制御部７ｂ、送受信部７ｅおよび信号線３に給電する。
【００２９】
主制御部７ｂは、例えばマイクロプロセッサ等からなり、主ＡＤメモリ７ｃと待ち時間設定部７ｄを有する。主ＡＤメモリ７ｃは各制御端末器４ａ〜４ｎのアドレスをそれぞれ示す個別アドレスと、これら各制御端末器４ａ〜４ｎをグループ化したときのグループを示すグループアドレスを記憶している。
【００３０】
待ち時間設定部７ｄは、複数の制御端末器４ａ〜４ｎをグループ制御する場合に、これら複数の制御端末器４ａ〜４ｎを同時に駆動させずに、所定順に順次駆動させるために、その駆動を待機させる待ち時間をそれぞれ設定する。すなわち、待ち時間は、制御端末器４ａ〜４ｎが制御信号ＣＳを受信してから制御を実行するまで待機する時間であり、制御端末器４ａ〜４ｎの駆動順番と関連付けて待ち時間設定部７ｄに設定される。例えば待ち時間がゼロの場合は、最初に駆動され、待ち時間が２番目に短い場合は２番目に駆動され、以下、最長の場合は最後に駆動される。これにより、グループ制御の場合の制御端末器４ａ〜４ｎの駆動順序が最初から最後まで順次設定される。
【００３１】
主制御部７ｂは、壁スイッチ５からの操作信号が送受信部７ｅにより受信されると、この操作信号により操作されたスイッチ入力を解読し、この操作信号に対応した制御信号を生成し、この制御信号を送受信部７ｅにより信号線３上にシリアル（直列）伝送で伝送させる。
【００３２】
図３に示すように各制御端末器４ａ〜４ｎは送受信部８ａ、端末制御部８ｂ、ＡＤメモリ８ｃ、駆動順番メモリ８ｄおよび制御操作部８ｅを具備している。
【００３３】
送受信部８ａは、受信部の一例であり、照明コントローラ２の送受信部７ｅから送信された制御信号ＣＳを受信し、端末制御部８ｂに与える受信機能と、送信機能を有する。この送信機能は制御信号ＣＳのタイムスロットである信号返送期間よりなる応答データＡＣＫに、制御端末器４ａ〜４ｎの制御実行後の応答データを記録して照明コントローラ２に返送させる機能である。
【００３４】
端末制御部８ｂは、例えばマイクロプロセッサから構成され、ＡＤメモリ８ｃと駆動順番メモリ８ｄを具備している。ＡＤメモリ８ｃは各制御端末器４ａ〜４ｎにそれぞれ個別に与えられた個別アドレスと、これら制御端末器４ａ〜４ｎを所要数のグループにグループ化したときのグループアドレスとを記憶している。
【００３５】
駆動順番メモリ８ｄは制御端末器４ａ〜４ｎのグループ内での駆動順を示す順番を個別アドレスに関連付けて記憶している。すなわち、各端末制御部８ｂはグループアドレスを含む制御信号ＣＳを受け取ったときに所定の待ち時間後に制御を実行するように構成されており、この待ち時間は個別アドレスに対応して駆動順番メモリ８ｄに記憶されている。例えば、個別アドレスＡＤ１が設定された制御端末器には待ち時間ＷＡＩＴ１が設定されており、個別アドレスＡＤ２が設定された制御端末器には待ち時間ＷＡＩＴ２が設定されている。同様に全ての制御端末器について設定された個別アドレスに対応して待ち時間ＷＡＩＴが設定される。ここで、待ち時間ＷＡＩＴは任意に設定することができるが互いに異なる時間が設定されている。なお、個別アドレスが論理アドレスの場合には個別アドレスと待ち時間とが対応するテーブルを駆動順番メモリ８ｄに記憶しておき、自己に設定された個別アドレスに応じて待ち時間をテーブルから読み出し、読み出した待ち時間に応じて駆動するようにしてもよい。この場合には、待ち時間と個別アドレスとが対応するテーブルを各制御端末器に記憶させておけば、制御端末器に個別アドレスを設定するだけで各制御端末は制御信号を受けたときに異なる待ち時間で駆動することができるため、待ち時間の設定作業が容易になる。また、個別アドレスとは関係なく単に制御端末器に待ち時間を記憶しておいてもよい。
【００３６】
制御操作部８ｅは、例えばラッチングリレー等からなり、このラッチングリレーを制御信号ＣＳの制御データに従って通電することにより、照明器具６ａ〜６ｎの点灯装置（図示しない）への給電を制御し、この照明器具６ａ〜６ｎを点灯または消灯する。ラッチングリレーは駆動時と復帰時に通電され、保持電流を通電せずに、その駆動状態と復帰状態を保持できる。
【００３７】
端末制御部８ｂは、制御信号ＣＳを受けると、この制御信号ＣＳのアドレスデータから個別アドレスまたはグループアドレスを読み出す一方、ＡＤメモリ８ｃから自己の個別アドレスまたはグループアドレスを読み出し、制御信号ＣＳの個別アドレスまたはグループアドレスと、自己の個別アドレスまたはグループアドレスと一致するか否か判断し、制御信号ＣＳに含まれるアドレスと自己に記憶されたアドレスとが一致すると判断したときは、制御信号ＣＳの制御データＣＤを実行するために制御操作部８ｅを駆動する。これにより、照明器具６ａ〜６ｎの点灯装置が制御されて点灯や消灯が行なわれ、光出力が制御される。
【００３８】
ここで、端末制御部８ｂは、制御信号ＣＳのアドレスデータからグループアドレスを読み出したときは、自己に設定された待ち時間ＷＡＩＴを駆動順番メモリ８ｄから読み出し待ち時間後に制御操作部８ｅを駆動させる。このとき、各制御端末器は、待ち時間ＷＡＩＴが個別アドレスに対応して設定され、すなわち互いに異なる待ち時間ＷＡＩＴが設定されているため、同一のグループに設定された制御端末器は、順番に制御操作部８ｅが駆動するように動作する。
【００３９】
図４（Ａ），（Ｂ）は制御端末器４ａ〜４ｎを点，消灯や調光等による光出力の制御を行なう場合の照明コントローラ２から送信される制御信号ＣＳのフォーマットの一例である。制御信号ＣＳは、個別アドレスＡＤ（ＡＤ１，ＡＤ２，ＡＤ３，…）やグループアドレスＧＡＤ（ＧＡＤ１，ＧＡＤ２，…）等を示すアドレスデータ、照明器具６ａ〜６ｎの光出力を制御するための制御データＣＤ、制御端末器４ａ〜４ｎからの返送信号を受信するタイムスロットである信号返送期間よりなる応答データＡＣＫを有する。複数の制御信号ＣＳは信号線３上を直列に伝送される。
【００４０】
図４（Ｃ）は制御端末器４ａ〜４ｎに待ち時間を設定するための照明コントローラ２から送信される設定信号のフォーマットの一例である。設定信号の各フレームには、制御端末器の個別アドレスデータＡＤ１〜ＡＤｎ、各個別アドレスに対応する待ち時間ＷＡＩＴ１〜ＷＡＩＴｎに関する制御データ、制御端末器４ａ〜４ｎからの返送信号を受信するタイムスロットである信号返送期間よりなる応答データＡＣＫをそれぞれ有している。制御端末器４ａ〜４ｎは、設定信号に自己の個別アドレスが含まれている場合には、設定信号に含まれる制御データＣＤから待ち時間ＷＡＩＴを読み出し、駆動順番メモリ８ｄに記憶する。待ち時間ＷＡＩＴ１〜ＷＡＩＴｎは個別アドレスＡＤ１〜ＡＤｎに１対１で対応しており、待ち時間ＷＡＩＴ１〜ＷＡＩＴｎが、例えばゼロ時間等最も短い場合の駆動順番は１番であり、待ち時間が２番目に短い場合の駆動順番は２番であり、以下、最も長い場合の駆動順番は最後である。このように、照明コントローラ２から一括して各制御端末器の待ち時間を設定することができるので待ち時間の設定作業が容易になる。なお、上記説明では個別アドレスと待ち時間とを１対１に対応させて設定信号として送信する例について説明したが、制御データＣＤとして、各個別アドレスと待ち時間とが対応付けられたテーブル情報を送信してもよい。この場合には、一度各制御端末器にテーブル情報を記憶させれば、各制御端末器に設定されている個別アドレスが変更されても待ち時間を再設定する必要が無い。
【００４１】
次に、この照明制御システム１の作用を説明する。  
図１で示す壁スイッチ５により照明器具６ａ〜６ｎを制御するための操作が行なわれると、壁スイッチ５の各操作部に対応して予め設定されているアドレスとともに、制御内容（例えば、点灯，消灯，調光等）を含んだ所定フォーマットの伝送信号が信号線３を介して照明コントローラ２へ送信される。照明コントローラ２は、壁スイッチ５のアドレスと照明器具６a〜６ｎの個別アドレスまたはグループアドレスとが対応して設定記憶されており、壁スイッチ５から伝送信号を受信すると壁スイッチ５のアドレスに対応する照明器具を制御するための制御信号ＣＳを送信する。このとき、壁スイッチ５のアドレスに対して照明器具の個別アドレスが設定されている場合には、壁スイッチ５の操作は照明器具を個別制御する。一方、壁スイッチ５のアドレスに対してグループアドレスが設定されている場合には壁スイッチ５の操作は照明器具をグループ制御する。
【００４２】
壁スイッチ５の操作が照明器具６ａ〜６ｎを個別制御するように設定されている場合には、照明コントローラ２は図４（Ａ）に示すような制御信号ＣＳを各制御端末器４ａ〜４ｎに信号線３を介して送信する。各制御端末器４ａ〜４ｎは、各送受信部８ａにより制御信号ＣＳをそれぞれ受信し、制御信号ＣＳの個別アドレスと自己の個別アドレスとが一致するか否か判断し、一致しない場合はこれで終了する。一方、個別アドレスが一致すると判断した場合には、制御データＣＤを実行する。これにより、制御操作部８ｅが駆動し、照明器具６ａ〜６ｎの点灯装置を制御する。その結果、壁スイッチ５の操作により指定された所定の照明器具６ａ〜６ｎの光出力が指定された通りに制御される。
【００４３】
これに対し、壁スイッチ５により、所定のグループの照明器具６ａ〜６ｎの光出力を制御するように設定されている場合には、照明コントローラ２は図４（Ｂ）に示すような制御信号ＣＳを各制御端末器４ａ〜４ｎに信号線３を介して送信する。各制御端末器４ａ〜４ｎは、各送受信部８ａにより制御信号ＣＳをそれぞれ受信し、制御信号ＣＳのグループアドレスと自己に記憶されているグループアドレスとが一致するか否か判断し、一致しない場合はこれで終了する。一方、グループアドレスが一致すると判断した場合には、駆動順番メモリ８ｄから自己の個別アドレスに対応して設定された待ち時間ＷＡＩＴを読み出し、この待ち時間ＷＡＩＴ経過後に制御データＣＤを実行する。待ち時間は、例えば制御端末器４ａ〜４ｎが制御信号を受信してからの時間であっても良いし、それ以外を基準としてもよい。すなわち、同一グループに設定された複数の制御端末器４ａ〜４ｎがそれぞれ異なるタイミングで制御操作部８ｅを駆動させるものであれば待ち時間を計測する基準をどのように設定してもよい。
【００４４】
これにより、各制御操作部８ｅは所定の待ち時間ＷＡＩＴ１〜ＷＡＩＴｎを置いて順次駆動し、指定グループの照明器具６ａ〜６ｎの光出力を順次制御する。
【００４５】
このように照明器具６ａ〜６ｎの光出力をグループ制御する場合は、各制御操作部８ｅを順次駆動し、同時刻に一斉に駆動しないので、一斉に駆動した場合の電力不足に陥る虞を低減できる。また、そのために、信号線３に電力を供給する照明コントローラ２の電源部７ａの電源容量を増大させてコストを増大させることを防止できる。
【００４６】
また、待ち時間ＷＡＩＴ１〜ＷＡＩＴｎを１台の照明コントローラ２側で設定し、設定信号を信号線３を介して一斉に複数台の制御端末器４ａ〜４ｎ側に設定することにより、待ち時間ＷＡＩＴ１〜ＷＡＩＴｎを複数台の制御端末器４ａ〜４ｎ側にそれぞれ設定する場合よりも、待ち時間ＷＡＩＴ１〜ＷＡＩＴｎの設定と更新作業の効率性を向上できる。
【００４７】
次に、本発明の第二の実施形態について説明する。上記第一の実施形態では、各制御端末器４ａ〜４ｎに待ち時間ＷＡＩＴ１〜ＷＡＩＴｎを、個別アドレスに対応付けて記録し、各制御端末器４ａ〜４ｎは制御信号を受信後にこの待ち時間ＷＡＩＴ１〜ＷＡＩＴｎ経過後に制御操作部８ｅを駆動する場合について説明したが、第二の実施形態では同一グループ内の各制御端末器４ａ〜４ｎを伝送信号に同期させて順次駆動するように構成している点が異なる。第一の実施形態と同様の構成については同符号を用いて説明する。
【００４８】
照明コントローラ２は、グループアドレスＧＡＤと制御データＣＤを有する制御信号の出力後は、同一グループを構成する制御端末器４ａ〜４ｎと同数または一つ少ない数の伝送信号を送信する。また、制御端末器４ａ〜４ｎの駆動順番メモリ８ｄには何番目の伝送信号を受信したときに制御データＣＤを実行するかが記憶されている。ここで、伝送信号とは制御端末器４ａ〜４ｎが、制御信号ＣＳが送信された後に何番目に送信された信号であるかを認識するためのものであり、制御端末器４ａ〜４ｎが信号として認識することができる全ての構成が許容される。また、伝送信号は、制御端末器４ａ〜４ｎがノイズと区別できる程度のものであればできるだけデータ量が少ないものが好ましく、例えば空データの信号である。なお、本実施形態の伝送信号は少なくとも制御信号よりもデータ量が少ない、すなわちフレーム長さが短い信号であるが、伝送信号が制御信号と同等のデータ量であっても制御端末器４ａ〜４ｎを順番に駆動させることが可能である。また、同一グループの制御端末器にはそれぞれ異なる順番で制御データＣＤを実行するように、異なる駆動順番が記憶されている。
【００４９】
そして、制御端末器４ａ〜４ｎは制御信号ＣＳを受信後に伝送信号を受信するとその受信した伝送信号の数をカウントするとともに、駆動順番メモリ８ｄに記憶された駆動順番と一致したときに制御データＣＤを実行する。ここで、例えば一つの制御端末器の駆動順番メモリ８ｄが、制御信号ＣＳの受信と同時に制御データＣＤを実行するように駆動順番を記憶している場合には、照明コントローラ２から送信される伝送信号は同一グループを構成する制御端末器４ａ〜４ｎの数より一つ少ない数の信号が送信される。
【００５０】
このように、複数の照明器具に対して同時にグループアドレスを指定した制御信号を送信する場合であっても、同一グループを構成する制御端末器４ａ〜４ｎを順番に駆動させることができるので、制御操作部８ｅの駆動に伴う信号線の一時的な電力不足を解消し、動作エラーの低減を図ることができる。
【００５１】
また、制御端末器４ａ〜４ｎは、制御信号ＣＳの受信後に受信する伝送信号に同期して制御データＣＤを実行するため、制御端末器４ａ〜４ｎに何番目の伝送信号に同期させるかを記憶させておけば、予め待ち時間を設定しておく必要が無い。
【００５２】
また、各制御端末器４ａ〜４ｎが制御信号を受信してから制御データを実行するまでの待ち時間を、伝送信号を送信するタイミングを照明コントローラ側で調整することによって設定することができるため、待ち時間の設定作業が容易である。
【００５３】
また、伝送信号は制御信号に比べてデータ量が小さく、すなわちフレーム長さが短いので、照明器具のグループ制御に伴う信号線のトラフィック増大を軽減することができるとともに、グループ制御速度の高速化を図ることができる。
【００５４】
なお、第一の実施形態において説明した事項については、第二の実施形態でも適用することができ、これらを適宜組み合わせた構成が許容される。
【００５５】
また、制御操作部８ｅとしてラッチングリレーを一例として説明したが、一時的に電力を消費して照明器具を制御するものであれば、調光端末等その他の構成を適用することができる。
【符号の説明】
【００５６】
１…照明制御システム、２…照明コントローラ、３…信号線、４ａ〜４ｎ…制御端末器、５…壁スイッチ（操作器）、６ａ〜６ｎ…照明器具、７ａ…電源部、７ｂ…主制御部、７ｃ…待ち時間設定部、８ａ…送受信部、８ｂ…端末制御部、８ｃ…ＡＤメモリ、８ｄ…駆動順番メモリ、８ｅ…制御操作部。
【図１】
0005556298.tif 000002
【図２】
0005556298.tif 000003
【図３】
0005556298.tif 000004
【図４】
0005556298.tif 000005